(57)【要約】      （修正有）【課題】主液室内に瞬間的に大きな液圧変化を生じさせるような大振幅の振動入力時にも、主液室内の液体に異音の原因となるキャビテーションが発生することを効果的に防止する。【解決手段】防振装置１０では、内筒金具１２又は外筒金具１４へ所定ののしきい値を越える大振幅を有する振動（衝撃的振動）の入力時に、この衝撃的振動の入力に伴う液体の圧力変化（圧力波）により可動板９４における撓み部９６の一部が開口部８８を通して副液室５８の内部へ延出するように変形することにより形成される隙間を通して、多量の液体を短時間で主液室５６から副液室５８へ流出させることができるので、大振幅（例えば、±５．０ｍｍ以上）の振動が入力しても主液室５６内の液圧が短時間で急激に変化することを防止でき、主液室５６、副液室５８及びオリフィス６６内に充填された液体にキャビテーションが発生しなくなる。【選択図】図１
2006132615.tif 000002
【特許請求の範囲】
【請求項１】
振動発生部及び振動受部の一方に連結される第１の取付部材と、
振動発生部及び振動受部の他方に連結される第２の取付部材と、
前記第１の取付部材と前記第２の取付部材との間に配置されたゴム弾性体と、
液体が封入され、前記ゴム弾性体を隔壁の一部として該ゴム弾性体の変形に伴い内容積が変化する主液室と、
液体が封入され、該液体の液圧変化に応じて内容積が拡縮可能とされた副液室と、
前記主液室と前記副液室との間を区画し、内部に中空状の収納室が設けられると共に、該収納室を前記主液室及び前記副液室にそれぞれ連通させる開口部が形成された仕切部材と、
前記主液室と前記副液室とを連通する制限通路と、
前記収納室内を通して前記主液室と前記副液室との間を液体が流通することを制限するように前記収納室内に配設されると共に、前記仕切部材における前記開口部が開口して開口周縁部との間に所定寸法の隙間を形成した可動板と、を有する防振装置であって、
前記第１又は第２の取付部材への所定のしきい値以下の振幅を有する振動の入力時に、該振動の入力に伴う液体の圧力変化により前記可動板を前記収納室内で振動させると共に前記開口周縁部に対して接離させ、
前記第１又は第２の取付部材への前記しきい値を越える振幅を有する振動の入力時に、該振動の入力に伴う液体の圧力変化により前記可動板の一部を、前記開口部を通して前記副液室の内部へ延出させることを特徴とする防振装置。
【請求項２】
前記可動板を、その厚さ方向に沿った表裏面がそれぞれ凸状の湾曲面からなる略凸レンズ状に形成すると共に、該可動板の表裏面における中心部がそれぞれ前記仕切部材の内壁面に圧接するように前記収納室内に収納し、
前記第１又は第２の取付部材への所定のしきい値以下の振幅を有する振動の入力時に、該振動の入力に伴う液体の圧力変化により前記可動板における前記収納室の内壁面に圧接する中心部に対して外周側の撓み領域を前記収納室内で振動させると共に前記開口周縁部に対して接離させることを特徴とする請求項１記載の防振装置。
【請求項３】
前記第１又は第２の取付部材への前記しきい値を越える振幅を有する振動の入力時に、該振動の入力に伴う液体の圧力変化により前記撓み領域の一部を前記開口部を通して前記副液室の内部へ延出させることを特徴とする請求項２記載の防振装置。
【請求項４】
前記可動板における前記開口周縁部と対向する対向面に凹状のディンプル部を形成したことを特徴とする請求項１、２又は３記載の防振装置。
【発明の詳細な説明】
【技術分野】
【０００１】
本発明は、例えば、自動車、一般産業用機械等に適用され、エンジン等の振動発生部から車体等の振動受部へ伝達される振動を吸収及び減衰させる防振装置に関する。
【背景技術】
【０００２】
自動車には、エンジンと車体（フレーム）との間に防振装置としてのエンジンマウントが配置されている。このエンジンマウントは、ゴム弾性体により振動を吸収し、振動発生部であるエンジンからの振動を減衰してフレームへ振動の伝達を抑制している。また、このようなエンジンマウントとしては、内部に主液室、副液室及びこれらの液室間を繋ぐオリフィスを備えた所謂、液体封入式のものがあり、この液体封入式のエンジンマウントでは、振動入力時にオリフィスを通して主液室と副液室との間で液体を相互に流通させると共に、オリフィスを通して主液室と副液室との間で液体の共振現象（液柱共振）を発生させることにより、ゴム弾性体による振動に対する減衰作用に加え、液体の粘性抵抗等によっても振動を効果的に減衰吸収できるようになっている。
【０００３】
上記のようなエンジンマウントとして適用される液体封入式の防振装置の一例としては、例えば特許文献１に示されている液体封入式マウント装置がある。
この特許文献１に示されたマウント装置には、外筒、ゴム弾性体及びダイヤフラムにより外部から密閉された液室空間が形成されており、この液室空間は、仕切部材によりゴム弾性体を隔壁の一部とする主液室と、ダイヤフラムを隔壁の一部とする副液室とに区画され、これらの主液室と副液室とが制限通路であるオリフィスにより繋ぎ合わされている。ここで、主液室、副液室及びオリフィス内には、水、エチレングリコール等の液体が充填されている。仕切部材には、外周側に主液室と副液室とを連通させる制限通路であるオリフィスが設けられている。また仕切部材には、その内周側に軸方向に沿って扁平な円柱状の空間である収納室が設けられ、この収納室内は仕切部材に形成された開口部を通して主液室及び副液室にそれぞれ連通している。このマウント装置では、収納室内に円板状の可動プレートが収納されており、この可動プレートは、収納室内で入力振動の振幅方向に沿って入力振動の振幅に対応する振幅で振動可能とされている。
【０００４】
上記のように構成された防振装置では、振動入力時にゴム弾性体が弾性変形することにより、ゴム弾性体により振動が減衰吸収される。このとき、入力振動の周波数が所定の値よりも低く、振幅が大きい場合には、可動プレートが仕切部材における開口部の周縁部に密着した状態となるので、可動プレートにより収納室内を通って液体が主液室と副液室との間を実質的に流通することが阻止され、オリフィスのみを通して主液室と副液室との間で液体が相互に流通する。これにより、オリフィス内を流通する液体に共振現象（液柱共振）が生じるので、この液柱共振の作用によってシェイク振動等の低い周波数を有する入力振動を効果的に減衰できる。
【０００５】
一方、上記のような防振装置では、入力振動の周波数が所定の値よりも高い振動（高周波振動）である場合には、オリフィスが目詰まり状態となるが、可動プレートが収納室内で入力振動に同期して振動すると共に開口部を開閉することにより、収納室内を通って主液室と副液室との間で液体の流通が生じるので、主液室内の液圧上昇に伴う動ばね定数の上昇を抑えることができ、このような高周波振動の入力時もゴム弾性体の動ばね定数を低く維持し、このゴム弾性体の弾性変形等によりアイドル振動等の高周波振動も効果的に吸収できるようになる。
【特許文献１】特開平１−１９３４２５号公報
【発明の開示】
【発明が解決しようとする課題】
【０００６】
しかしながら、上記のような防振装置では、例えば、オリフィスにおける液体の流通抵抗がシェイク振動に適合するように設定されている場合、シェイク振動の振幅（例えば、±０．５〜１ｍｍ）よりも著しく大きい振幅（例えば、±５ｍｍ以上）を有する振動（衝撃的振動）が路面側から入力すると、このような大振幅の衝撃的振動が衝撃的な液圧変化を発生させることから、衝撃的振動により主液室内の液圧が瞬間的に急激に変化する。この衝撃的振動の入力時もシェイク振動の入力時と同様に、可動プレートが仕切部材における開口部の周縁部に密着した状態となるが、制限通路から流出する液体だけでは主液室内の急激な液圧変化を吸収できないので、この主液室内における瞬間的で、かつ急激な液圧変化に伴って主液室内でキャビテーションが発生すると共に、このキャビテーションにより液体中に生じた真空泡が消失（破裂）することにより衝撃波が発生し、この衝撃波が可動プレートを支持部材の内壁面に衝突させ、高音圧の打音を発生させることがある。このような打音は車両では車体を通して車内へ不快な異音として伝達される。
【０００７】
本発明の目的は、上記事実を考慮して、主液室内に瞬間的に急激な液圧変化を生じさせるような衝撃的振動の入力時にも、主液室内の液体に異音の原因となるキャビテーションが発生することを効果的に防止できる防振装置を提供することにある。
【課題を解決するための手段】
【０００８】
上記課題を解決するため、本発明の請求項１に係る防振装置は、振動発生部及び振動受部の一方に連結される第１の取付部材と、振動発生部及び振動受部の他方に連結される第２の取付部材と、前記第１の取付部材と前記第２の取付部材との間に配置されたゴム弾性体と、液体が封入され、前記ゴム弾性体を隔壁の一部として該ゴム弾性体の変形に伴い内容積が変化する主液室と、液体が封入され、該液体の液圧変化に応じて内容積が拡縮可能とされた副液室と、前記主液室と前記副液室との間を区画し、内部に中空状の収納室が設けられると共に、該収納室を前記主液室及び前記副液室にそれぞれ連通させる開口部が形成された仕切部材と、前記主液室と前記副液室とを連通する制限通路と、前記収納室内を通して前記主液室と前記副液室との間を液体が流通することを制限するように前記収納室内に配設されると共に、前記仕切部材における前記開口部が開口して開口周縁部との間に所定寸法の隙間を形成した可動板と、を有する防振装置であって、前記第１又は第２の取付部材への所定のしきい値以下の振幅を有する振動の入力時に、該振動の入力に伴う液体の圧力変化により前記可動板を前記収納室内で振動させると共に前記開口周縁部に対して接離させ、前記第１又は第２の取付部材への前記しきい値を越える振幅を有する振動の入力時に、該振動の入力に伴う液体の圧力変化により前記可動板の一部を、前記開口部を通して前記主液室又は前記副液室の内部へ延出させることを特徴とする。
【０００９】
上記請求項１に係る防振装置では、基本的に第１又は第２の取付部を介して振動が入力すると、この振動によりゴム弾性体が弾性変形することにより、ゴム弾性体の内部摩擦等に基づく吸振作用により振動が減衰吸収される。
【００１０】
また請求項１に係る防振装置では、第１又は第２の取付部材への所定のしきい値以下の振幅を有する振動の入力時に、この振動の入力に伴う主液室内に充填された液体の圧力変化により可動板を前記収納室内で振動させると共に、可動板を開口周縁部に対して接離させることにより、入力振動の振幅が前記しきい値以下の範囲であって、この入力振動が制限通路に対応する周波数を有する振動（低周波振動）である場合には、可動板の収納室内での振幅方向に沿った可動量を低周波振動の振幅に対して十分に小さくものにしておけば、低周波振動の入力時には、可動板が仕切部材における開口周縁部に密着した状態となって、収納室内を通って液体が主液室と副液室との間を実質的に流通することがなくなり、制限通路のみを通して主液室と副液室との間で液体が相互に流通するので、制限通路内を流通する液体に共振現象（液柱共振）が生じ、この液柱共振の作用によってシェイク振動等の低周波振動を効果的に減衰できる。
【００１１】
また請求項１に係る防振装置では、入力振動の振幅が前記しきい値以下の範囲であって、この入力振動が制限通路に対応する周波数を有する低周波振動よりも高い周波数を有する振動（高周波振動）である場合には、可動板の収納室内での振幅方向に沿った可動量を高周波振動の振幅に対して十分に大きいものにしておけば、この高周波振動の入力時には、制限通路が目詰まり状態となり制限通路には液体が流れ難くなるが、可動板が収納室内で高周波振動に同期して高周波振動の振幅に対応する振幅で振動することにより、可動板と開口部との隙間及び収納室内を通って主液室と副液室との間で液体の流通が生じるので、主液室内の液圧上昇に伴う動ばね定数の上昇を抑えることができ、このような振幅が小さい高周波振動の入力時もゴム弾性体の動ばね定数を低く維持し、このゴム弾性体の弾性変形等により高周波振動を効果的に吸収できるようになる。
【００１２】
また請求項１に係る防振装置では、前記第１又は第２の取付部材への前記しきい値を越える大振幅を有する振動（衝撃的振動）の入力時に、この衝撃的振動の入力に伴う液体の圧力変化により可動板の一部を、前記開口部を通して前記副液室の内部へ延出させることにより、この衝撃的振動の入力時には、仕切部材の開口部を通して主液室又は副液室の内部へ延出した可動板の一部（延出部）と支持部材の開口周縁部との間に液体の流通路となる隙間を形成し、この隙間を通して多量の液体を短時間で主液室から副液室へ流出させることができるので、衝撃的振動が入力しても主液室内の液圧が短時間で急激に変化することを効果的に防止できる。
【００１３】
この結果、請求項１に係る防振装置によれば、衝撃的振動の入力時にも、主液室、副液室及び制限通路内に充填された液体にキャビテーションが発生しなくなり、キャビテーションに伴う衝撃波（異音）の発生を効果的に防止できる。
【００１４】
また本発明の請求項２に係る防振装置は、請求項１記載の防振装置において、前記可動板を、その厚さ方向に沿った表裏面がそれぞれ凸状の湾曲面からなる略凸レンズ状に形成すると共に、該可動板の表裏面における中心部がそれぞれ前記仕切部材の内壁面に圧接するように前記収納室内に収納し、前記第１又は第２の取付部材への所定のしきい値以下の振幅を有する振動の入力時に、該振動の入力に伴う液体の圧力変化により前記可動板における前記収納室の内壁面に圧接する中心部に対して外周側の撓み領域を前記収納室内で振動させると共に前記開口周縁部に対して接離させることを特徴とする。
【００１５】
また本発明の請求項３に係る防振装置は、請求項２記載の防振装置において、前記第１又は第２の取付部材への前記しきい値を越える振幅を有する振動の入力時に、該振動の入力に伴う液体の圧力変化により前記撓み領域の一部を、前記開口部を通して前記副液室の内部へ延出させることを特徴とする。
【００１６】
また本発明の請求項４に係る防振装置は、請求項１、２又は３記載の防振装置において、前記可動板における前記開口周縁部と対向する対向面に凹状のディンプル部を形成したことを特徴とする。
【発明の効果】
【００１７】
以上説明したように本発明の防振装置によれば、主液室内に瞬間的に急激な液圧変化を生じさせるような大振幅の振動入力時にも、主液室内の液体に異音の原因となるキャビテーションが発生することを効果的に防止できる。
【発明を実施するための最良の形態】
【００１８】
以下、本発明の実施形態に係る防振装置について図面を参照して説明する。
【００１９】
図１には本発明の実施形態に係る防振装置が示されている。この防振装置１０は、自動車におけるエンジンを車体上へ支持するエンジンマウントとして適用されるものである。なお、図１にて符合Ｓが付された一点鎖線は装置の軸心を示しており、この軸心Ｓに沿った方向を装置の軸方向として以下の説明を行う。
【００２０】
図１に示されるように、防振装置１０は、略肉厚円筒状に形成されエンジン側に連結される内筒金具１２と、この内筒金具１２の外周側に略同軸的に配置され、車体側へ連結される略円筒状の外筒金具１４と、内筒金具１２と外筒金具１４との間に配置され、吸振主体となるゴム製のゴム弾性体１６とを備えている。
【００２１】
内筒金具１２は、その上端側が外筒金具１４内へ挿入されると共に、下端側が外筒金具１４の下端側の開口部９３を通って外筒金具１４の下方まで突出している。外筒金具１４には、その軸方向中間部に段差部１８が設けられており、この段差部１８に対して上端側の部分が下端側の部分の直径よりも直径が拡大された拡径部２０として形成されている。また外筒金具１４には、その下端部に下方へ向って直径がテーパ状に縮小するテーパ部２２が形成されると共に、拡径部２０の上端部に装置の組立時に内周側へかしめられるかしめ部２４が形成されている。
【００２２】
防振装置１０には、外筒金具１４の下端側が嵌挿固定される略カップ状の中間連結筒２６及び、この中間連結筒２６の下端側が嵌挿固定される有底円筒状のホルダ金具２８が設けられている。外筒金具１４は、その下端部が中間連結筒２６の底板部に当接するまで中間連結筒２６内へ挿入されている。またホルダ金具２８には、その外周面に複数の脚部３０，３２が溶接等により固定されており、この脚部３０，３２の先端側に形成された連結穴３２を挿通するボルト（図示省略）により、ホルダ金具２８は車体側へ締結固定される。これにより、外筒金具１４が、中間連結筒２６及びホルダ金具２８を介して車体側へ連結固定される。
【００２３】
内筒金具１２の下端側は、中間連結筒２６の底板部に形成された開口部９２を通って中間連結筒２６の下方まで突出しており、内筒金具１２の下端部には、ボルト３４によりエンジン連結用のブラケット３６の基端部が締結固定されている。このブラケット３６は、ホルダ金具２８の側面部に形成された開口部（図示省略）を通って外周側へ延出しており、ブラケット３６の先端側にはボルト等によりエンジン（図示省略）が締結固定される。またブラケット３６の基端部には、略角筒状に形成されたストッパゴム３８が被せられており、このストッパゴム３８の上面部は中間連結筒２６の底板部に圧接している。これにより、ブラケット３６の軸方向に沿った過大な変位が防止されると共に、大荷重の入力によりブラケット３６が中間連結筒２６又はホルダ金具２８へ衝突した際にも大きな衝突音の発生が防止される。
【００２４】
内筒金具１２の上端面には、上方へ向って開口するカップ状に形成された延長金具４０の底板部が溶接等により固着されている。延長金具４０は、その側板部が底板側から上端側へ向って直径が拡大するテーパ状とされており、この側板部の上端部分にはリング状のフランジ部材４２が溶接等により固着されており、このフランジ部材４２は延長金具４０の上端部から内周側へ延出している。また延長金具４０の周壁部には、ゴム弾性体１６の成形素材となる加硫ゴムを延長金具４０内へ充填するための湯道穴４４が複数穿設されている。
【００２５】
ゴム弾性体１６は、外筒金具１４内へ挿入された内筒金具１２の上端側及び延長金具４０にそれぞれ加硫接着されると共に、外筒金具１４の下端側に加硫接着されており、内筒金具１２と外筒金具１４とを弾性的に連結している。ここで、ゴム弾性体１６は、内筒金具１２の外周面及び延長金具４０の外周面にそれぞれ加硫接着されると共に、湯道穴４４を通って延長金具４０の内周側に充填され、延長金具４０の内周面及び底面部とフランジ部材４２の下面側にもそれぞれ加硫接着されている。またゴム弾性体１６には外周部から上方へ延出する薄肉状の被覆部４６が一体的に形成されており、この被覆部４６は、外筒金具１４の内周面上端側に加硫接着され、外筒金具１４の内周面上端側を被覆している。
【００２６】
外筒金具１４内には、その段差部１８の上側に全体として略円板状に形成された仕切部材４８（図２参照）及び、この仕切部材４８の上面部に密着した略ハット状の仕切金具５０（図２参照）が挿入されており、仕切部材４８の下面外周部は、被覆部４６を介して段差部１８に当接している。また外筒金具１４内には、仕切部材４８及び仕切金具５０の上側に円筒状の支持筒５２が嵌挿されており、この支持筒５２の下端部は仕切金具５０の外周部に当接している。これらの仕切部材４８、仕切金具５０及び支持筒５２が挿入された外筒金具１４はかしめ部が内周側へかしめられる。これにより、仕切部材４８、仕切金具５０及び支持筒５２が外筒金具１４内における段差部１８とかしめ部２４との間に固定される。ここで、支持筒５２には、その内周面に上方へ向って凸状のカップ状に形成されたゴム製のダイヤフラム５４の外周部が全周に亘って加硫接着されている。
【００２７】
防振装置１０内には、外筒金具１４の内周側にゴム弾性体１６及びダイヤフラム５４により外部から密閉された液室空間が形成されており、この液室空間は、仕切部材４８及び仕切金具５０によりゴム弾性体１６を隔壁の一部とする主液室５６と、ダイヤフラム５４を隔壁の一部とする副液室５８とに区画されている。防振装置１０では、副液室５８の隔壁の一部を形成するダイヤフラム５４の外側が大気空間とされており、これにより、ダイヤフラム５４は、副液室５８内の液圧変化に応じて副液室５８の内容積を拡縮するように容易に弾性変形可能とされている。また主液室５６は、その内容積がゴム弾性体１６の弾性変形に伴って拡縮する。
【００２８】
仕切部材４８には、その外周面に周方向へ延在する凹状の溝部６０が設けられている。図２に示されるように、溝部６０は軸心Ｓを中心とする周方向に沿ってＣ字状に延在しており、仕切部材４８には、溝部６０の一端部から下方へ向って溝部６０の下部側が切り欠かれて連通口６２が形成されると共に、溝部６０の他端部から上方へ向って溝部６０の上部側が切り欠かれて連通口６４が形成されている。この溝部６０は、図１に示されるように、その外周側が被覆部４６を介して外筒金具１４の内周面により閉止されることにより、主液室５６と副液室５８とを連通させる細長い制限通路であるオリフィス６６を形成している。
【００２９】
ここで、主液室５６、副液室５８及びオリフィス６６内には、水、エチレングリコール、シリコーンオイル等の非圧縮性の液体が充填されており、この液体はオリフィス６６を通して主液室５６と副液室５８との間で流通可能とされている。オリフィス６６は、その路長及び断面積がシェイク振動の振幅及び周波数に適合するように設定（チューニング）されている。
【００３０】
仕切部材４８には、図２（Ａ）に示されるように、その上面中央部に円形凸状の肉厚部６８が形成されており、この肉厚部６８の上面中央部には円形の凹部７０が形成されている。また仕切部材４８には、その下面中央部に肉厚部６８よりも大径とされた円形凹状の逃げ部７２が形成されており、この逃げ部７２の頂面と凹部７０の底面との間には厚さが略一定の底板部９０が設けられている。逃げ部７２内には、軸方向に沿って底板部９０との間に隙間を空けつつ、延長金具４０及びゴム弾性体１６の上端部が挿入されている。
【００３１】
ここで、底板部９０と延長金具４０及びゴム弾性体１６との間の隙間は、ブラケット３６にエンジンが連結されて、このエンジンの重量に起因する荷重がブラケット３６に入力した状態では、図示した状態よりも拡大されて十分な幅となるので、振動が入力しても延長金具４０及びゴム弾性体１６が底板部９０に接することは無い。
【００３２】
仕切金具５０には、その中央部に仕切部材４８の肉厚部６８に対応する円形凸状の外嵌部７４が形成されると共に、この外嵌部７４の下端部から外周側へ延出する環状のフランジ部７６が一体的に形成されている。仕切金具５０は、上方から外嵌部７４を仕切部材４８の肉厚部６８へ外嵌すると共に、フランジ部７６を仕切部材４８の外周部へ当接させている。これにより、仕切部材４８の凹部７０の上面側が外嵌部７４の頂板部７８により閉止され、この凹部７０内には主液室５６及び副液室５８から区画された収納室８０が設けられる。この収納室８０内には、軸方向に沿った肉厚（間隔）が略一定とされた円板状の空間が形成されている。また仕切金具５０には、図２（Ｂ）に示されるように、外周端から内周側へ向って略矩形状に切り欠かれた切欠部８２が形成されており、この切欠部８２を通してオリフィス６６の連通口６４は副液室５８内へ連通している。
【００３３】
図２（Ｂ）に示されるように、仕切金具５０には、その頂板部７８に内周部から外周側へ向って周方向に沿った寸法が広がる扇状の開口部８８が複数個（本実施形態では、４個）穿設されている。この開口部８８を通して収納室８０は副液室５８と互いに連通している。また図２（Ａ）に示されるように、仕切部材４８の底板部９０にも、仕切金具５０の開口部８８と略同一の形状及び開口面積を有する開口部９２が複数個（本実施形態では、４個）穿設されている。この開口部９２を通して収納室８０は、主液室５６と互いに連通している。収納室８０内には、ゴムを素材として略円板状に形成された可動板９４が収納されている。
【００３４】
図３（Ｂ）に示されるように、可動板９４は、その厚さ方向に沿った表面部及び裏面部がそれぞれ凸状の湾曲面（球面）からなる略凸レンズ状に形成されており、これらの表面部及び裏面部の形状が互いに略面対称となっている。ここで、可動板９４は、収納室８０内へ収納されていな状態での、その中心部における厚さが収納室８０の軸方向に沿った厚さＳＴ（図２（Ａ）参照）よりも厚くなっており、具体的には、例えば、可動板９４は厚さが５．２ｍｍとされ、収納室８０の厚さＳＴは４．２ｍｍとされている。これにより、収納室８０内に収納された可動板９４は、その中心部が仕切金具５０の頂板部７８及び仕切部材４８の底板部９０との間で軸方向に沿って圧縮状態で挟持され、この中心部に対して外周側の撓み部９６が頂板部７８及び底板部９０から軸方向に沿ってそれぞれ離間した状態となる。
【００３５】
可動板９４の外径は収納室８０の内径よりも僅かに小さくなっている。これにより、可動板９４は、収納室８０内に収納された状態で、外嵌部７４及び底板部９０にそれぞれ圧接した中心部付近を支点（揺動中心）として撓み部９６が軸方向に沿って上下するように揺動可能に支持される。また図２（Ａ）に示されるように、可動板９４の外周端は、底板部９０の開口部９２及び仕切金具５０の開口部８８の外周端よりも外周側まで延出している。ここで、可動板９４の外周部が頂板部７８と径方向に沿って重なり合うラップ長ＬＲは０．５〜３．０ｍｍの範囲内となるように設定されている。
【００３６】
可動板９４には、その表面部及び裏面部における所定の領域にそれぞれ凹状のディンプル部９８が複数形成されている。これらのディンプル部９８は、可動板９４の外周端に対して内周側であって、外嵌部７４及び底板部９０にそれぞれ圧接した中心部を除く領域、すなわち撓み部９６に形成されている。これらのディンプル部９８は、軸心Ｓを中心とする一の径方向及び、この一の径方向と直交する他の径方向に沿って格子状に配列され、前記一の径方向及び他の径方向に沿ったピッチが略一定とされている。
【００３７】
ディンプル部９８は、その内面が凹状の湾曲面からなる略半球状に形成されている。またディンプル部９８の厚さ方向に沿った深さは、中心側に位置するものが最も深く、外周側へ配置されたものほど浅くなっている。これにより、可動板９４からディンプル部９８の深さを引いた残厚が撓み部９６における任意の部位で略一定となり、撓み部９６の外周側の部分での残厚が極端に薄くなり、撓み部９６に液圧に対抗できる剛性が確保できなくなることが防止されている。
【００３８】
防振装置１０では、可動板９４における撓み部９６の上面側と頂板部７８との軸方向に沿ったクリアランスと撓み部９６の上面側と頂板部７８との軸方向に沿ったクリアランスとが互いに等しくなっており、これらのクリアランス、すなわち撓み部９６の軸方向に沿った可動範囲は、オリフィス６６における液体の流通抵抗に対応する周波数を有する低周波振動（本実施形態では、シェイク振動）の振幅及び、この高周波振動よりも高い周波数（本実施形態では、アイドル振動）の振幅に応じて設定されている。
【００３９】
また撓み部９６の軸方向（撓み方向）に沿って剛性及びラップ長ＬＲは、前記低周波振動の振幅よりも所定長以上、長い振幅を有する振動（衝撃的振動）の入力により生じる主液室５６内の液圧変化の大きさに応じて設定されている。ここで、衝撃的振動の振幅の最小値をしきい値Ｓとする。このような共振振動よりも長い振幅を有する衝撃的振動は、例えば、自動車が路面における比較的大きな突起を乗り越える際に、エンジン及び車体を介して防振装置１０に入力する。
【００４０】
次に、上記のように構成された本発明の第１の実施形態に係る防振装置１０の作用について説明する。防振装置１０では、基本的にエンジン又は車体側からの振動が内筒金具１２又は外筒金具１４を介して入力すると、この振動によりゴム弾性体１６が弾性変形することにより、ゴム弾性体１６の内部摩擦等に基づく吸振作用により入力振動が減衰吸収される。
【００４１】
また防振装置１０では、内筒金具１２又は外筒金具１４へのしきい値Ｓ以下の振幅を有する振動の入力時に、この振動の入力に伴う主液室５６内に充填された液体の圧力変化（圧力波）により可動板９４の撓み部９６を収納室８０内で軸方向に沿って振動（撓み変形）させると共に、撓み部９６を頂板部７８及び底板部９０に対して接離させることにより、入力振動の振幅がしきい値Ｓ以下の範囲のものであって、この入力振動がオリフィス６６における液体の流通抵抗に対応する周波数を有する低周波振動（本実施形態では、シェイク振動）である場合には、撓み部９６の収納室８０内での軸方向に沿った可動範囲を低周波振動の振幅に対して十分に小さくものに設定しておけば、この低周波振動の入力時には、図３（Ａ）の実線又は２点鎖線の何れかで示されるように、可動板９６の撓み部９８が開口部８８，９２の一方を閉塞するように頂板部７８又は底板部９０に密着した状態となる。これにより、収納室８０内を通って液体が主液室５６と副液室５８との間を実質的に流通することがなくなり、オリフィス６６のみを通して主液室５６と副液室５８との間で液体が相互に流通するので、オリフィス６６内を流通する液体に共振現象（液柱共振）が生じ、この液柱共振の作用によって低周波振動を効果的に減衰できる。ここで、低周波振動であるシェイク振動は、一般的に±１．０ｍｍ以下の振幅を有している。またしきい値Ｓとしては、本実施形態では±２．０ｍｍが設定されている。
【００４２】
また防振装置１０では、入力振動の振幅がしきい値Ｓ以下の範囲のものであって、この入力振動がオリフィス６６における液体の流通抵抗に対応する周波数を有する低周波振動（シェイク振動）よりも高い周波数を有する高周波振動（本実施形態では、アイドル振動）である場合には、可動板９４の撓み部９６の収納室８０内での軸方向に沿った可動範囲を高周波振動の振幅に対して十分に大きいものに設定しておけば、この高周波振動の入力時には、オリフィス６６が目詰まり状態となりオリフィス６６には液体が流れ難くなるが、可動板９４の撓み部９６が収納室８０内で高周波振動に同期して高周波振動の振幅に対応する振幅で振動（撓み変形）することにより、可動板９４の撓み部９６と開口部８８，９２との隙間及び収納室８０内を通って主液室５６と副液室５８との間で液体の流通が生じるので、主液室５６内の液圧上昇に伴う動ばね定数の上昇を抑えることができ、このような振幅が小さい高周波振動の入力時もゴム弾性体１６の動ばね定数を低く維持し、このゴム弾性体１６の弾性変形等により高周波振動（アイドル振動）を効果的に吸収できるようになる。
【００４３】
また防振装置１０では、内筒金具１２又は外筒金具１４へのしきい値Ｓを越える大振幅を有する振動（衝撃的振動）の入力時に、この衝撃的振動の入力に伴う液体の圧力変化（圧力波）により可動板９４における撓み部９６の一部（外周部）が、図３（Ｂ）に示されるように開口部８８を通して副液室５８の内部へ延出するように変形する。これにより、衝撃的振動の入力時には、開口部８８を通して副液室５８の内部へ延出した撓み部９６の一部（延出部分）と頂板部７８における開口部８８の周縁部との間に液体の流通路となる隙間Ｈ（図３（Ｂ）参照）が形成され、この隙間Ｈを通して多量の液体を短時間で主液室５６から副液室５８へ流出させることができるので、大振幅（例えば、±５．０ｍｍ程度）の衝撃的振動が入力しても主液室５６内の液圧が短時間で急激に変化することを効果的に防止できる。
【００４４】
この結果、防振装置１０によれば、衝撃的振動の入力時にも、主液室５６、副液室５８及びオリフィス６６内に充填された液体にキャビテーションが発生しなくなり、キャビテーションに伴う衝撃波に起因して異音が発生することを効果的に防止できる。
【図面の簡単な説明】
【００４５】
【図１】本発明の実施形態に係る防振装置の構成を示す断面図である。
【図２】図１に示される可動板を収納した仕切部材及び仕切金具の構成を示す側面断面図及び斜視図である。
【図３】（Ａ）はしきい値以下の振幅を有する振動入力における図１に示される可動板の振動状態を示す側面断面図、（Ｂ）はしきい値を越えた振幅を有する振動入力における図１に示される可動板の振動状態を示す側面断面図である。
【符号の説明】
【００４６】
１０      防振装置
１２      内筒金具（取付部材）
１４      外筒金具（取付部材）
１６      ゴム弾性体
４８      仕切部材
５０      仕切金具（仕切部材）
５４      ダイヤフラム
５６      主液室
５８      副液室
６６      オリフィス（制限通路）
７８      頂板部（開口周縁部）
８０      収納室
８８      開口部
９０      底板部（開口周縁部）
９２      開口部
９４      可動板
９６      撓み部（撓み領域）
９８      ディンプル部
１００      可動板
１０２    ディンプル部
【図１】
2006132615.tif 000003
【図２】
2006132615.tif 000004
【図３】
2006132615.tif 000005